(57)【要約】【課題】    本発明は、所定量の空気を簡易に封入することができる空気入れ用のアダプタ−を提供することを目的としている。【解決手段】    空気入れ用のアダプタ−１は、空気入れ用のポンプ２の吐出口21を有する吐出部22に接続される空気入れ用のアダプタ−１であって、貫通する通路11を有する本体10と、通路11の一方の開口部11ａは、空気入れ用のポンプ２の吐出口21を有する吐出部22に接続され、通路11の他方の開口部11ｂは、空気入れ用のポンプ２の吐出口21を介して吐出された空気を本体10の外へと吐出する本体吐出口を形成し、空気入れ用のポンプ２の吐出口21を有する吐出部22に空気入れ用のアダプタ−１が接続された状態においては、空気入れ用のポンプ２の吐出口21の先端が他方の開口部11ｂに臨むように配置され、本体10に設けられ、通路11に連通すると共に、本体10の外に臨む補助通路Ｄを設けたものである。【選択図】図５
2005337144.tif 000002
【特許請求の範囲】
【請求項１】
空気入れ用のポンプの吐出口を有する吐出部に接続される空気入れ用のアダプタ−であって、
貫通する通路を有する本体と、
前記通路の一方の開口部は、前記空気入れ用のポンプの吐出口を有する吐出部に接続され、
前記通路の他方の開口部は、前記空気入れ用のポンプの吐出口を介して吐出された空気を前記本体の外へと吐出する本体吐出口を形成し、
空気入れ用のポンプの吐出口を有する吐出部に空気入れ用のアダプタ−が接続された状態においては、前記空気入れ用のポンプの吐出口の先端が前記他方の開口部に臨むように配置され、
前記本体に設けられ、前記通路に連通すると共に、前記本体の外に臨む補助通路を設けた
ことを特徴とする空気入れ用のアダプタ−。
【請求項２】
通路は、一方の開口部を有する第１の通路と、他方の開口部を有する第２の通路と、この第２の通路と前記第１の通路とを接続するテ−パ−部とを備え、
前記第１の通路の長手方向を横断する開口部の大きさは、前記第２の通路の長手方向を横断する開口部の大きさより大きく、
補助通路は、前記第１の通路に連通するように設けられている
ことを特徴とする請求項１記載の空気入れ用のアダプタ−。
【発明の詳細な説明】
【技術分野】
【０００１】
本発明は、空気入れ用のアダプタ−に係り、特に、空気入れ用のポンプの吐出口を有する吐出部に接続される空気入れ用のアダプタ−に関する。
【背景技術】
【０００２】
空気入れ用のポンプを使用して、袋内に所定量の空気を封入する場合がある（例えば、特許文献１参照）。
【特許文献１】実開平６−６０７７８号公報  （図２）
【発明の開示】
【発明が解決しようとする課題】
【０００３】
かかる場合（特に、所定量の空気を大量の袋内に迅速に封入しなければならない場合）、袋内に所定量を超える空気が封入されると、袋によっては破袋したり、また、逆に、袋内に封入される空気の量が不足し、袋内に所定量の空気を簡易に封入できないという不具合が生じた。
本発明は、上述した不具合を除去するようにした空気入れ用のアダプタ−を提供するものである。
【課題を解決するための手段】
【０００４】
上記目的を達成するために、請求項１記載の空気入れ用のアダプタ−は、空気入れ用のポンプの吐出口を有する吐出部に接続される空気入れ用のアダプタ−であって、貫通する通路を有する本体と、前記通路の一方の開口部は、前記空気入れ用のポンプの吐出口を有する吐出部に接続され、前記通路の他方の開口部は、前記空気入れ用のポンプの吐出口を介して吐出された空気を前記本体の外へと吐出する本体吐出口を形成し、空気入れ用のポンプの吐出口を有する吐出部に空気入れ用のアダプタ−が接続された状態においては、前記空気入れ用のポンプの吐出口の先端が前記他方の開口部に臨むように配置され、前記本体に設けられ、前記通路に連通すると共に、前記本体の外に臨む補助通路を設けたものである。
【０００５】
また、請求項２記載の空気入れ用のアダプタ−は、請求項１記載の空気入れ用のアダプタ−において、通路は、一方の開口部を有する第１の通路と、他方の開口部を有する第２の通路と、この第２の通路と前記第１の通路とを接続するテ−パ−部とを備え、前記第１の通路の長手方向を横断する開口部の大きさは、前記第２の通路の長手方向を横断する開口部の大きさより大きく、補助通路は、前記第１の通路に連通するように設けられているものである。
【発明の効果】
【０００６】
請求項１記載の空気入れ用のアダプタ−によれば、空気入れ用のポンプの吐出口を有する吐出部に空気入れ用のアダプタ−を接続して、空気入れ用のポンプを手動により操作し、空気封入部へ空気を封入すると、空気入れ用のポンプの吐出口を有する吐出部に空気入れ用のアダプタ−が接続された状態においては、空気入れ用のポンプの吐出口の先端が他方の開口部に臨むように配置されているため、空気入れ用のポンプの吐出口を介して吐出された空気は、本体内の通路を通って、他方の開口部より空気封入部へと導かれ、該空気封入部内の空気の封入量が所定量に達し、空気封入部内の空気圧と空気入れ用のポンプの吐出口より吐出圧が等しくなると、空気入れ用のポンプを手動により操作しても、空気入れ用のポンプの吐出口を介して吐出された空気は、補助通路より本体の外へと排出され、空気封入部への空気の封入が停止され、袋内に所定量の空気を簡易に封入することができる。
【０００７】
請求項２記載の空気入れ用のアダプタ−によれば、前述した請求項１記載の発明の効果に加え、空気入れ用のポンプの吐出口を有する吐出部に空気入れ用のアダプタ−が接続された状態においては、空気入れ用のポンプの吐出口の先端が他方の開口部に臨むように配置されているため、空気の流れの抵抗とならず、空気封入部内の空気の封入量が所定量に達する前の段階においては、空気入れ用のポンプの吐出口からの空気は、第１の通路にほとんど流れ、補助通路への流れを阻止でき、阻止できる分、空気封入部への空気を効率良く封入することができる。
【実施例】
【０００８】
本発明の一実施例の空気入れ用のアダプタ−を図面を参照して説明する。
図１乃至図６において、１は空気入れ用のアダプタ−で、空気入れ用のアダプタ−１は、空気入れ用のポンプ２の吐出口21を有する吐出部22に着脱自在に接続されるものである。
【０００９】
空気入れ用のポンプ２は、市販されているもので、筒体23のそれぞれの端面に空気取り入れ口24（他方の空気取り入れ口は図示せず）が設けられ、この空気取り入れ口24（他方の空気取り入れ口は図示せず）には、筒体23内への空気の侵入は許容するものの筒体23外への空気の排出を阻止する逆止弁（図示せず）が設けられている。25は筒体23内を摺動するロッドで、ロッド25は内部に貫通孔を有し、ロッド25の先端には、吐出口21を有する吐出部22が一体的に設けられている。この吐出口21は、ロッド25の貫通孔を介して筒体23内と連通している。
【００１０】
従って、一方の手で筒体23を、他方の手で吐出部22をそれぞれ持ち、筒体23を吐出部22に対して進退するように操作すれば、空気取り入れ口24（他方の空気取り入れ口は図示せず）より取り入れられた空気は、筒体23、ロッド25の貫通孔を介して吐出口21より吐出されることとなる。
【００１１】
また、空気入れ用のアダプタ−１は、貫通する通路11を有する本体10を有している。通路11の一方の開口部11ａは、空気入れ用のポンプ２の吐出口21を有する吐出部22に着脱自在に接続される。通路11の他方の開口部11ｂは、空気入れ用のポンプ２の吐出口21を介して吐出された空気を本体10の外へと吐出する本体吐出口を形成している。
そして、空気入れ用のポンプ２の吐出口21を有する吐出部22に空気入れ用のアダプタ−１が接続された状態においては、図４及び図５に示すように、空気入れ用のポンプ２の吐出口21の先端が他方の開口部11ｂに臨むように配置されている。
【００１２】
通路11は、一方の開口部11ａを有する第１の通路Ａと、他方の開口部11ｂを有する第２の通路Ｂと、この第２の通路Ｂと第１の通路Ａとを接続するテ−パ−部Ｃとを備えている。第１の通路Ａの長手方向を横断する開口部Ｋ1 の大きさは、第２の通路Ｂの長手方向を横断する開口部Ｋ2 の大きさより大きくなっている（Ｋ1 ＞Ｋ2 ）。
なお、通路11においては、テ−パ−部Ｃは必ずしも必要ではなく、通路11は、少なくとも、一方の開口部11ａを有する第１の通路Ａと、他方の開口部11ｂを有する第２の通路Ｂとを備えていれば良い。
また、Ｄは、本体10に設けられた補助通路で、補助通路Ｄは、通路11に連通すると共に、本体10の外に臨むようになっている。なお、補助通路Ｄは、望ましくは、第１の通路Ａに連通するように設けるのが良い。
【００１３】
また、３は袋で、30は袋３の内部に設けられた空気封入部、31は空気封入部30内に設けられた逆止弁である。この逆止弁31はフィルムを対向させ、空気封入部30内へ空気を封入すると、対向するフィルムは離間して空気封入部30内へ空気が封入される。そして、空気封入部30内へ空気がある程度封入され、空気の封入を停止しても、空気封入部30内の空気圧により、対向するフィルムが密着し（図６参照）、空気封入部30内の空気を外部へ排出しないようになっている。
【００１４】
従って、空気入れ用のポンプ２の吐出口21を有する吐出部11に空気入れ用のアダプタ−１を接続して、空気入れ用のポンプ２を手動により操作し、空気封入部30へ空気を封入すると、空気入れ用のポンプ２の吐出口21を有する吐出部22に空気入れ用のアダプタ−１が接続された状態においては、空気入れ用のポンプ２の吐出口21の先端が他方の開口部11ｂに臨むように配置されているため、空気入れ用のポンプ２の吐出口21を介して吐出された空気は、本体10内の通路11を通って、他方の開口部11ａより空気封入部30へと導かれ、該空気封入部30内の空気の封入量が所定量に達し、空気封入部30内の空気圧と空気入れ用のポンプ２の吐出口21より吐出圧が等しく（空気封入部30内が空気で一杯になる）なると、空気入れ用のポンプ２を手動により操作しても、空気入れ用のポンプ２の吐出口21を介して吐出された空気は、補助通路Ｄより本体10の外へと排出され、空気封入部30への空気の封入が停止され、袋３内に所定量の空気を簡易に封入することができる。
【００１５】
なお、特に、空気入れ用のポンプ２の吐出口21を有する吐出部22に空気入れ用のアダプタ−１が接続された状態においては、空気入れ用のポンプ２の吐出口21の先端が他方の開口部11ｂに臨むように配置されているため、空気の流れの抵抗とならず、空気封入部30内の空気の封入量が所定量に達する前の段階においては、空気入れ用のポンプ２の吐出口21からの空気は、第１の通路Ｂにほとんど流れ、補助通路Ｄへの流れを阻止でき、阻止できる分、空気封入部30への空気を効率良く封入することができる。
【図面の簡単な説明】
【００１６】
【図１】図１は、本発明の一実施例の空気入れ用のアダプタ−の概略的斜視図である。
【図２】図２は、図１の空気入れ用のアダプタ−を空気入れ用のポンプの吐出口を有する吐出部に接続する前の状態を示す概略的断面図である。
【図３】図３は、図１の空気入れ用のアダプタ−を空気入れ用のポンプの吐出口を有する吐出部に接続し、空気入れ用のポンプを操作し、空気封入部内へ空気を封入している状態の概略的斜視図である。
【図４】図４乃至図６は、空気封入部内へ空気を封入している状態の概略的断面図で、図４は、封入開始状態を示す概略的断面図である。
【図５】図５は、空気封入部内へ空気の封入途中の過程の概略的断面図である。
【図６】図６は、空気封入部内への空気の封入が終了し、空気入れ用のアダプタ−を空気入れ用のポンプの吐出口を有する吐出部から離脱させた状態を示す概略的断面図である。
【符号の説明】
【００１７】
１  ・・・・・空気入れ用のアダプタ−
２  ・・・・・空気入れ用のポンプ
10  ・・・・・本体
11  ・・・・・通路
11ａ・・・・・一方の開口部
11ｂ・・・・・他方の開口部
21  ・・・・・吐出口
Ｄ  ・・・・・補助通路
【図１】
2005337144.tif 000003
【図２】
2005337144.tif 000004
【図３】
2005337144.tif 000005
【図４】
2005337144.tif 000006
【図５】
2005337144.tif 000007
【図６】
2005337144.tif 000008